(57)【要約】【課題】  水道管へ温水を供給することによって、燃料電池によって生成された温水を有効に活用することができる建物、および温水供給システムを供給する。【解決手段】  本発明の建物は、燃料電池と、燃料電池により生成された温水を貯湯する貯湯漕と、供給される温水の温度を、予め設定された温度に維持するサーモ弁と、水が要求されたときに、貯湯漕に貯湯されている温水の熱量が基準値を超えていない場合には冷水を供給し、貯湯漕に貯湯されている温水の熱量が基準値を超えている場合にはサーモ弁を用いて予め設定された温度の温水を供給させる制御部とを備える。【選択図】  図１
2006040678.tif 000002
【特許請求の範囲】
【請求項１】
燃料電池と、
前記燃料電池により生成された温水を貯湯する貯湯漕と、
供給される温水の温度を、予め設定された温度に維持するサーモ弁と、
水が要求されたときに、前記貯湯漕に貯湯されている温水の熱量が基準値を超えていない場合には冷水を供給し、前記貯湯漕に貯湯されている温水の熱量が基準値を超えている場合には前記サーモ弁を用いて前記予め設定された温度の温水を供給させる制御部と
を備えた建物。
【請求項２】
前記サーモ弁は、洗濯機に水を供給する洗濯機用配管に、予め設定された温度の温水を供給する請求項１に記載の建物。
【請求項３】
前記制御部は、前記洗濯機が洗濯用の水を当該洗濯機に給水していることを更に条件として、前記サーモ弁を用いて前記予め設定された温度の温水を前記洗濯機に供給させる請求項２に記載の建物。
【請求項４】
前記制御部は、前記貯湯漕に貯湯されている温水の熱量が第一の基準値よりも大きい場合には、前記洗濯機が洗濯用の水を当該洗濯機に給水していることを条件として前記予め設定された温度の温水を前記洗濯機に供給させ、前記貯湯漕に貯湯されている温水の熱量が第一の基準値よりも大きい第二の基準値よりも更に大きい場合には、前記洗濯機が洗濯用の水を当該洗濯機に給水しているか否かに関わらずに前記予め設定された温度の温水を前記洗濯機に供給させる請求項２に記載の建物。
【請求項５】
前記サーモ弁は、トイレに水を供給するトイレ用配管に、予め設定された温度の温水を供給する請求項１に記載の建物。
【請求項６】
燃料電池と、
前記燃料電池により生成された温水を貯湯する貯湯漕と、
トイレと、
前記貯湯漕に貯湯されている温水の熱量が基準値を超えている場合には前記貯湯漕から温水を前記トイレに供給するためのトイレ用配管と
を備えた建物。
【請求項７】
燃料電池と、
前記燃料電池により生成された温水を貯湯する貯湯漕と、
供給される温水の温度を、予め設定された温度に維持するサーモ弁と、
水が要求されたときに、前記貯湯漕に貯湯されている温水の熱量が基準値を超えていない場合には冷水を供給し、前記貯湯漕に貯湯されている温水の熱量が基準値を超えている場合には前記サーモ弁を用いて前記予め設定された温度の温水を供給させる制御部と
を備えた温水供給システム。
【発明の詳細な説明】
【技術分野】
【０００１】
本発明は、水道管へ温水を供給することによって、燃料電池によって生成された、余った温水を有効に活用することができる建物、および温水供給システムに関する。
【背景技術】
【０００２】
従来、住宅における電力系統の補助電源として燃料電池等が考えられている（例えば、非特許文献１参照）。この場合、燃料電池は、燃料電池の発電に伴う排熱を温水として貯湯槽に蓄積すると共に、電力を住宅へ供給する。
【０００３】
【非特許文献１】石井弘毅著、燃料電池開発情報センター監修、「燃料電池がわかる本」、第一版、株式会社オーム社、平成１３年９月２５日
【発明の開示】
【発明が解決しようとする課題】
【０００４】
しかしながら、温水の使用量に対して電力の使用量が多いと余分な温水が生じる場合があるが、このような余分な温水は利用されずに捨てられていた。また一方で、例えば住宅での温水の使用量が多い場合には、貯湯槽の温水量が不足することがあった。
【課題を解決するための手段】
【０００５】
このような課題を解決するために、本発明の第一の形態における建物は、燃料電池と、燃料電池により生成された温水を貯湯する貯湯漕と、供給される温水の温度を、予め設定された温度に維持するサーモ弁と、水が要求されたときに、貯湯漕に貯湯されている温水の熱量が基準値を超えていない場合には冷水を供給し、貯湯漕に貯湯されている温水の熱量が基準値を超えている場合にはサーモ弁を用いて予め設定された温度の温水を供給させる制御部とを備えた。このように、水道管へ温水を供給することにより、余った温水を有効に活用することができる。また、貯湯槽の温水が少ない場合には、水道管へ貯湯槽の温水ではなく冷水を供給するので、必要な温水量を貯湯槽に確保しておくことができる。
【０００６】
サーモ弁は、洗濯機に水を供給する洗濯機用配管に、予め設定された温度の温水を供給してもよい。これにより、洗濯機における洗濯の効果を高めることができる。
【０００７】
制御部は、洗濯機が洗濯用の水を洗濯機に給水していることを更に条件として、サーモ弁を用いて予め設定された温度の温水を洗濯機に供給させてもよい。このように、すすぎを行う場合には温水を供給せずに、洗濯を行う場合にのみ供給するので、本発明では、貯湯槽の温水を、より有効に活用することができる。
【０００８】
制御部は、貯湯漕に貯湯されている温水の熱量が第一の基準値よりも大きい場合には、洗濯機が洗濯用の水を洗濯機に給水していることを条件として予め設定された温度の温水を洗濯機に供給させ、貯湯漕に貯湯されている温水の熱量が第一の基準値よりも大きい第二の基準値よりも更に大きい場合には、洗濯機が洗濯用の水を洗濯機に給水しているか否かに関わらずに予め設定された温度の温水を洗濯機に供給させてもよい。これにより、貯湯槽の余った温水を、有効に利用することができる。
【０００９】
サーモ弁は、トイレに水を供給するトイレ用配管に、予め設定された温度の温水を供給してもよい。これにより、トイレにおける洗浄の効果を高めることができる。
【００１０】
本発明の第二の形態における建物は、燃料電池と、燃料電池により生成された温水を貯湯する貯湯漕と、トイレと、貯湯漕に貯湯されている温水の熱量が基準値を超えている場合には貯湯漕から温水をトイレに供給するトイレ用配管とを備えた。
【００１１】
本発明の第三の形態における温水供給システムは、燃料電池と、燃料電池により生成された温水を貯湯する貯湯漕と、供給される温水の温度を、予め設定された温度に維持するサーモ弁と、水が要求されたときに、貯湯漕に貯湯されている温水の熱量が基準値を超えていない場合には冷水を供給し、貯湯漕に貯湯されている温水の熱量が基準値を超えている場合にはサーモ弁を用いて予め設定された温度の温水を供給させる制御部とを備えた。
【００１２】
なお上記の発明の概要は、本発明の必要な特徴の全てを列挙したものではなく、これらの特徴群のサブコンビネーションも又発明となりうる。
【発明を実施するための最良の形態】
【００１３】
以下、発明の実施の形態を通じて本発明を説明するが、以下の実施形態は特許請求にかかる発明を限定するものではなく、又実施形態の中で説明されている特徴の組み合わせの全てが発明の開発手段に必須であるとは限らない。
【００１４】
図１は、本実施形態における温水供給システム１００を備えた建物２００の構成の一例を示す。温水供給システム１００は、燃料電池４０、貯湯槽４２、２つのサーモ弁４４、４６、混合栓４７、制御部４８、洗濯機５０、トイレ５２、洗面所５３、温度検出手段５４、貯湯槽給水配管６０、冷水供給配管６２、温水供給配管６４、洗濯機用配管６６、およびトイレ用配管６８を備える。
【００１５】
ここで従来、燃料電池４０は、電力の発電に伴う排熱を温水として貯湯槽４２に蓄積すると共に、電力を建物２００における電力負荷へ供給する。しかしながら、温水の使用量に対して電力の使用量が多いと、余分な温水が生じる。このような余分な温水は貯湯槽４２に貯められるが、貯湯槽４２に貯めきれなくなると、利用されずに捨てられていた。また、一方で、電力の使用量に対して温水の使用量が多い場合には、貯湯槽４２の温水量が不足するという課題があった。そこで本発明の温水供給システム１００は、このような課題を解決することを目的とする。
【００１６】
燃料電池４０は、例えば固体高分子形燃料電池（ＰＥＦＣ）である。燃料電池４０は、電力を生成すると共に、熱を発生させる。本例の燃料電池４０は、例えば、建物２００へ供給される都市ガスやプロパンガスを改質して、燃料となる水素ガスを生成するものであってよく、また外部から供給される水素ガスを燃料とするものであってもよい。
【００１７】
貯湯槽４２は、貯湯槽給水配管６０、および温水供給配管６４と接続される。本例の貯湯槽給水配管６０は、貯湯槽４２に接続され、冷水を貯湯槽４２へ供給する。そして貯湯漕４２は、燃料電池４０で生じる熱により生成された温水を貯湯する。
【００１８】
２つのサーモ弁４４、４６および混合栓４７のそれぞれは、温水供給配管６４および冷水供給配管６２に接続されている。冷水供給配管６２は、サーモ弁４４、４６および混合栓４７へ冷水を供給する。サーモ弁４４、および４６は、例えばサーモスタット混合弁であり、温水供給配管６４によって排出された温水と、冷水供給配管６２により供給される冷水とを混合し、予め設定された温度に、温水を維持する。尚、本例における冷水とは、外部から建物２００へ供給された上水である。貯湯槽給水配管６０および、冷水供給配管６２のそれぞれは、建物２００へ供給された上水を、貯湯槽４２、サーモ弁４４、４６、および混合栓４７へ、貯湯槽４２に貯湯された温水よりも冷たい冷水として供給する。
【００１９】
サーモ弁４４は、洗濯機用配管６６と接続されており、サーモ弁４６は、トイレ用配管６８と接続されている。サーモ弁４４およびサーモ弁４６は、制御部４８からの信号に基づいて、予め定められた温度に維持された温水、又は冷水供給配管６２により供給される冷水を、洗濯機用配管６６およびトイレ用配管６８へそれぞれ供給する。尚、サーモ弁４４あるいは４６が供給する温水の温度は、例えば制御部４８により設定されてもよいし、利用者によって手動で設定されてもよい。
【００２０】
洗濯機５０は、供給された冷水または温水を用いて、衣服の洗濯を行う。トイレ５２は、供給された冷水または温水を用いて、利用者の排泄物を洗浄する。尚、本例のトイレ５２は、内部に貯水タンクを備えており、トイレ用配管６８が給水する冷水または温水を、この貯水タンクに貯水する。
【００２１】
混合栓４７は、利用者が温水と冷水の水量を調整することのできる混合水栓であってもよいし、サーモスタット混合栓であってもよい。混合栓４７は、利用者の要求に基づいて、温水、或いは冷水を、混合栓４７が有する蛇口から、洗面所５３へ供給する。
【００２２】
ここで本例の制御部４８は、貯湯槽４２に貯湯された温水を有効に利用するために、洗濯機５０、およびトイレ５２への水の供給を制御する。温度検出手段５４は、貯湯槽４２の温水の温度を検出する。制御部４８は、貯湯槽４２に貯湯された温水の熱量を算出する。例えば制御部４８は、貯湯槽４２の温水の温度から、貯湯槽給水配管６０から供給される冷水の温度を減じた値に、貯湯槽４２に貯湯された温水の体積を乗じた値を、貯湯槽４２に貯湯された温水の熱量として算出する。
【００２３】
尚、本例の貯湯槽４２は、下部には冷水を貯水し、より温かい温水を、より上部に貯湯する構造のものであってよい。この場合、温度検出手段５４は、例えば貯湯槽４２の複数の位置の温度を検出する。そして制御部４８は、各温度から貯湯槽給水配管６０により供給される冷水の温度を減じた値に、各温度の温水の水量を乗じた値を温度毎に算出し、温度毎に算出した値の総和を、貯湯槽４２に貯湯された温水の熱量として算出する。
【００２４】
ここで、洗濯機５０と制御部４８とは、電気的に接続されており、洗濯機５０は、洗濯の開始を示す信号を制御部４８へ出力する。尚、洗濯機５０において衣服を洗濯する場合には、“洗い”、“すすぎ”、“脱水”等が行われる。本例の洗濯機５０は、例えば、洗いやすすぎの開始を示す信号を、制御部４８へ出力する。そして、洗濯機５０が洗濯を行う場合に、貯湯槽４２に貯湯されている温水の熱量が第一の基準値を超えない場合には、制御部４８は、冷水を洗濯機５０に供給させる。ここで、温水の熱量が第一の基準値を超えない場合とは、例えば、貯湯槽４２に温水として貯湯されている供給可能な熱量が、洗面所５３および洗濯機５０における一般的な給湯需要量に相当する熱量を超えない場合であってよい。
【００２５】
また、貯湯漕４２に貯湯されている温水の熱量が第一の基準よりも大きい場合には、制御部４８は、洗濯機５０が洗濯用の水を洗濯機に給水していることを条件として、洗濯機５０に温水を供給させる。これにより、洗濯機５０における洗濯の効果を高めることができる。尚、本明細書において洗濯用の水とは、洗濯機５０における“洗い”で使用される水である。
【００２６】
また、貯湯漕４２に貯湯されている温水の熱量が第二の基準値よりも更に大きい場合には、制御部４８は、洗濯機５０が洗濯用の水を洗濯機に給水しているか否かに関わらずに、温水を洗濯機５０に供給させる。即ち、制御部４８は、洗濯機５０の洗濯用の水、およびすすぎ用の水として、温水を供給させる。ここで、温水の熱量が第二の基準値を超えた場合とは、例えば、貯湯槽４２に温水として貯湯されている供給可能な熱量が、洗面所５３および洗濯機５０で一般的な給湯需要量に相当する熱量を、所定量だけ更に超えた場合であってよい。このように、すすぎ用に水に温水を供給するので、洗濯機５０における洗濯の効果を更に高めることができる。
【００２７】
尚、本例において、第一の基準値、および第二の基準値は、洗濯機５０で温水を使用したと想定した場合に、貯湯槽４２に残る熱量に基づいて定められてよい。例えば、第一の基準値は、貯湯槽４２の熱量から、洗濯用の水に温水を用いた場合に使用される熱量を減じた値が、洗面所５３で使用される熱量以上であるように定められる。また第二の基準値は、貯湯槽４２の熱量から、洗濯およびすすぎの水に温水を用いた場合に使用される熱量を減じた値が、洗面所５３で使用される熱量以上であるように定められる。
【００２８】
この場合、洗面所５３で使用される熱量とは、洗面所５３で使用される温水の温度から冷水供給配管６２により供給される冷水の温度を減じた値に、洗面所５３で使用される水量を乗じた値であってよい。また、洗濯機５０の洗濯で使用される熱量とは、サーモ弁４４において維持された温度から、冷水供給配管６２により供給される冷水の温度を減じた値に、洗濯機５０の洗濯で使用される水量を乗じた値であってよい。
【００２９】
同様に、洗濯機５０の洗濯およびすすぎで使用される熱量とは、サーモ弁４４において維持された温度から、冷水供給配管６２により供給される冷水の温度を減じた値に、洗濯機５０の洗濯およびすすぎで使用される水量を乗じた値であってよい。
【００３０】
このように、本例においては、貯湯槽４２の熱量の余りが少ない場合には、洗濯を行う場合にのみ供給し、貯湯槽４２の熱量が多く余った場合には、洗濯およびすすぎに温水を利用するので、貯湯槽４２の熱量を有効に利用することができる。
【００３１】
尚、貯湯槽４２に貯湯される温水の温度が、洗面所５３で使用が想定される温水の温度よりも低い場合がある。このような場合、制御部４８は、貯湯槽４２の熱量が第１の基準値を超えたかどうかを判断する場合に、貯湯槽４２の温度を更に参照してよい。例えば、制御部４８は、洗面所５３で使用が想定される温水の温度よりも高い温度であって、かつ貯湯槽４２に貯湯された温水の熱量が第一の基準値を超えた場合に、洗濯機５０が洗濯用の水を洗濯機に給水していることを条件として、洗濯機５０に温水を供給させてよい。貯湯槽４２に貯湯された温水の熱量が第二の基準値を超えたかどうかを判断する場合にも同様に、洗面所５３で使用が想定される温水の温度よりも高い温度であるかを、更に加えて判断してよい。
【００３２】
そして、貯湯漕４２に貯湯されている温水の熱量が、第三の基準値を超えていない場合には、冷水をトイレ５２に供給させる。ここで、温水の熱量が第三の基準値を超えない場合とは、例えば、貯湯槽４２に温水として貯湯されている供給可能な熱量が、洗面所５３およびトイレ５２における一般的な給湯需要量に相当する熱量を超えない場合であってよい。また、貯湯漕４２に貯湯されている温水の熱量が、第三の基準値を超えている場合には、貯湯漕４２から温水をトイレ５２に供給させる。これにより、トイレ５２における洗浄の効果を高めることができる。ここで第三の基準値は、例えば、貯湯槽４２の熱量から、トイレ５２の洗浄用の水に温水を用いた場合に使用が想定される熱量を減じた値が、所定の熱量以上であるように定められる。ここで所定の熱量とは、例えば、洗面所５３で使用される熱量、および洗濯機５０で洗濯およびすすぎ用に温水が使用された場合の熱量を加えた熱量であってよい。そしてトイレ５２で使用される熱量とは、サーモ弁４６において予め維持された温度から、冷水供給配管６２により供給される冷水の温度を減じた値に、トイレ５２の洗浄に使用する水量を乗じた値であってよい。
【００３３】
このように、本発明の温水供給システム１００は、洗濯機５０およびトイレ５２に、水の代わりに温水を供給することによって、余った温水を有効に活用することができる。また、貯湯槽４２の温水が少ない場合には、建物２００のそれぞれの水道管へ、貯湯槽４２の温水ではなく、冷水を供給するので、最低限必要な温水量を貯湯槽４２に確保しておくことができる。また、貯湯槽４２の熱量が少ない場合には、洗濯を行う場合にのみ温水を供給し、貯湯槽４２の熱量が余った場合には、すすぎにも温水を利用するので、燃料電池４０の排熱を有効に利用することができる。
【００３４】
図２は、洗濯機５０を使用する場合における温水供給システム１００の動作の一例を示すフローチャートである。燃料電池４０は、電力を生成すると共に、生じた排熱で温水を生成する（Ｓ１００）。ここで、洗濯機５０を使用しない場合には（Ｓ１０５：ＮＯ）、本フローチャートはＳ１００へと戻る。この場合、貯湯槽４２に貯湯される温度は、排熱の量に応じて上昇する。
【００３５】
そして、洗濯機５０を使用する場合（Ｓ１０５：ＹＥＳ）、制御部４８は、洗濯機５０から、洗濯を開始する旨を示す信号を受け取る。すると、制御部４８は、温度検出手段５４が検出した温度を参照し、貯湯槽４２の熱量を算出する。ここで、貯湯槽４２に貯湯された温水の熱量が、第一の基準値よりも小さい場合、例えば、貯湯槽４２に温水として貯湯されている供給可能な熱量が、洗面所５３および洗濯機５０における一般的な給湯需要量に相当する熱量を超えない場合（Ｓ１１０：ＹＥＳ）、制御部４８は、洗濯機５０へ冷水を供給させる（Ｓ１１５）。この場合、制御部４８は、サーモ弁４４を動作させ、冷水供給配管６２によって供給される冷水を、洗濯機用配管６６へ排出させることにより、洗濯機５０へ冷水を供給させる。
【００３６】
ここで、貯湯槽４２に貯湯された温水の熱量が、第一の基準値よりも大きい場合（Ｓ１１０：ＮＯ）、本フローチャートは、Ｓ１２０へ進む。この場合、更に、貯湯槽４２に貯湯された温水の熱量が第二の基準よりも小さい場合、例えば、貯湯槽４２に温水として貯湯されている供給可能な熱量が、洗面所５３および洗濯機５０で一般的な給湯需要量に相当する熱量を、更に所定量だけ超えてはいない場合（Ｓ１２０：ＹＥＳ）、制御部４８は、洗濯時にのみ、温水を洗濯機５０へ供給させる（Ｓ１２５）。この場合、制御部４８は、サーモ弁４４を動作させ、予め設定された温度に維持された温水を、洗濯機用配管６６へ排出させる。洗濯機用配管６６は、サーモ弁４４により予め設定された温度に維持されている温水を、洗濯機５０に供給する。
【００３７】
また、貯湯槽４２に貯湯された温水の熱量が第二の基準よりも大きい場合（Ｓ１２０：ＮＯ）、制御部４８は、洗濯時およびすすぎ時に、温水を洗濯機５０へ供給させる（Ｓ１３０）。この場合、制御部４８は、サーモ弁４４を動作させ、予め設定された温度に維持された温水を、洗濯機用配管６６へ排出させる。洗濯機用配管６６は、サーモ弁４４により予め設定された温度に維持されている温水を、洗濯機５０に供給する。尚、洗濯機５０は、洗濯を開始する場合には、洗濯の開始を示す信号を、また、すすぎを開始する場合には、すすぎの開始を示す信号を、制御部４８へ出力している。
【００３８】
貯湯槽４２の温水が供給されると、供給した温水の水量に相当する冷水が、貯湯槽４２へ供給される。そして、洗濯が終了していない場合（Ｓ１３５：ＮＯ）、本フローチャートは、Ｓ１１０へ戻る。洗濯が終了すると（Ｓ１３５：ＹＥＳ）、本フローチャートは終了する。
【００３９】
図３は、トイレ５２を使用する場合における温水供給システム１００の動作の一例を示すフローチャートである。燃料電池４０は、電力を生成すると共に、生じた排熱で温水を生成する（Ｓ２００）。
【００４０】
ここで制御部４８は、通常、サーモ弁４６を開くことで、冷水供給配管６２によって供給される冷水をトイレ５２へ供給する。この場合、トイレ５２が内部に有する貯水タンクへ、冷水は供給される。ここで、貯湯槽４２に貯湯された温水の熱量が第三の基準値を超えた場合、例えば、貯湯槽４２に温水として貯湯されている供給可能な熱量が、洗面所５３およびトイレ５２における一般的な給湯需要量に相当する熱量を超えた場合（Ｓ２０５：ＹＥＳ）、制御部４８は、温水をトイレ５２へ供給させる（Ｓ２１０）。この場合、制御部４８は、サーモ弁４６を動作させ、予め設定された温度に維持された温水を、トイレ用配管６８へ排出する。これにより、トイレ用配管６８は、サーモ弁４６により予め設定された温度に維持されている温水を、トイレ５２に供給する。
【００４１】
貯湯槽４２に貯湯された温水の熱量が第三の基準値を超えない場合（Ｓ２０５：ＮＯ）、制御部４８は、冷水をトイレ５２へ供給させる（Ｓ２１５）。このように、本例の建物２００においては、トイレ用配管６８へ温水を供給することにより、余った温水を有効に活用することができると共に、トイレ５２における洗浄の効果を高めることができる。また、貯湯槽４２の温水が少ない場合には、トイレ用配管６８へ、貯湯槽４２の温水ではなく冷水を供給するので、貯湯槽４２の水量が不足することを防止できる。
【００４２】
尚、他の例において第三の基準値は、貯湯槽４２の熱量から、トイレ５２の洗浄用の水に温水を用いた場合に使用される熱量を減じた値が、洗面所５３で使用される熱量以上であるように定められてもよいし、或いは、貯湯槽４２の熱量から、トイレ５２の洗浄用の水に温水を用いた場合に使用される熱量を減じた値が、洗面所５３で使用される熱量と、洗濯で使用される熱量とを加えた熱量以上であるように定められてもよい。
【００４３】
また、本例の温水供給システム１００は洗面所５３に温水を供給したが、他の例においては、洗面所５３に加えて、浴槽、床暖房、食器洗浄器など、家庭内で温水が使用される機器に温水を供給してもよい。
【００４４】
以上、本発明を実施の形態を用いて説明したが、本発明の技術的範囲は上記実施の形態に記載の範囲には限定されない。上記実施形態に、多様な変更又は改良を加えることができることが当業者に明らかである。その様な変更又は改良を加えた形態も本発明の技術的範囲に含まれることが、特許請求の範囲の記載から明らかである。
【図面の簡単な説明】
【００４５】
【図１】本実施形態に係る温水供給システム１００を備えた建物２００の構成の一例を示す図である。
【図２】洗濯機５０を使用する場合における温水供給システム１００の動作の一例を示すフローチャートである。
【図３】トイレ５２を使用する場合における温水供給システム１００の動作の一例を示すフローチャートである。
【符号の説明】
【００４６】
４０・・・燃料電池、４２・・・貯湯槽、４４、４６・・・サーモ弁、４７・・・混合栓、４８・・・制御部、５０・・・洗濯機、５２・・・トイレ、５３・・・洗面所、５４・・・温度検出手段、６０・・・貯湯槽給水配管、６２・・・冷水供給配管、６４・・・温水供給配管、６６・・・洗濯機用配管、６８・・・トイレ用配管、１００・・・温水供給システム、２００・・・建物
【図１】
2006040678.tif 000003
【図２】
2006040678.tif 000004
【図３】
2006040678.tif 000005